(57)【要約】    【課題】  高ズーム比、広画角で、広角端から望遠端における全ズーム範囲にわたり色収差を良好に補正し、全ズーム範囲において高い光学性能を有するズームレンズを得ること。    【解決手段】  物体側より像側へ順に、正の屈折力の第１群、ズーミングに際して移動する負の屈折力の第２群、ズーミングに際して移動する負の屈折力の第３群、正の屈折力の第４群を有するズームレンズにおいて、第１群はフォーカスに際して不動の負の屈折力の前方部分系、フォーカスのために移動する正の屈折力の移動部分系、フォーカスに際して不動で正の屈折力の後方部分系で構成されており、後方部分系は、複数の正レンズと１以上の負レンズを有し、１以上の負レンズのうち、材料のアッベ数が最も小さい負レンズの材料のアッベ数と、部分分散比νｎ、θｎ、複数の正レンズの材料のアッベ数νと部分分散比θの平均値νｐａ、θｐａを各々適切に設定すること。【選択図】    図１
2011039398.tif 000002
【特許請求の範囲】
【請求項１】
物体側より像側へ順に、ズーミングのためには不動で正の屈折力の第１群、ズーミングに際して移動する負の屈折力の第２群、ズーミングに際して移動する負の屈折力の第３群、ズーミングのためには不動の正の屈折力の第４群を有するズームレンズにおいて、前記第１群は合焦のためには不動の負の屈折力の前方部分系、合焦に際して移動する正の屈折力の移動部分系、合焦のためには不動で正の屈折力の後方部分系で構成されており、前記後方部分系は、複数の正レンズと１以上の負レンズを有し、１以上の負レンズのうち、材料のアッベ数が最も小さい負レンズの材料のアッベ数と、部分分散比を各々νｎ、θｎ、複数の正レンズの材料のアッベ数νと部分分散比θの平均値を各々νｐａ、θｐａとするとき、
−１．２×１０−３＜（θｐａ−θｎ）／（νｐａ−νｎ）
νｎ＜３０
なる条件を満足することを特徴とするズームレンズ。
【請求項２】
前記第１群の焦点距離をｆ１、望遠端における全系の焦点距離をｆｔｅｌｅとするとき、
２．２＜ｆｔｅｌｅ／ｆ１
なる条件を満足することを特徴とする請求項１に記載のズームレンズ。
【請求項３】
前記後方部分系の焦点距離をｆ１ｃとするとき、
１．２７＜ｆｔｅｌｅ／ｆ１ｃ
なる条件を満足することを特徴とする請求項１又は２に記載のズームレンズ。
【請求項４】
前記後方部分系の１以上の負レンズのうち、材料のアッベ数が最も小さい負レンズの材料の屈折率をＮｎとするとき、
１．８６＜Ｎｎ
なる条件を満足することを特徴とする請求項１、２又は３に記載のズームレンズ。
【請求項５】
前記後方部分系の複数の正レンズの屈折力の合計値をφｐ、１以上の負レンズの屈折力の合計値をφｎ、該後方部分系の全体の屈折力をφ１ｃとするとき、
φｐ／φ１ｃ＜１．９
−０．９＜φｎ／φ１ｃ
なる条件を満足することを特徴とする請求項１乃至４のいずれか１項のズームレンズ。
【請求項６】
広角端と望遠端における全系の焦点距離を各々ｆｗｉｄｅ、ｆｔｅｌｅとするとき
１１＜ｆｔｅｌｅ／ｆｗｉｄｅ
なる条件を満足することを特徴とする請求項１乃至５のいずれか１項のズームレンズ。
【請求項７】
前記後方部分系は、物体側より像側へ順に、正レンズと負レンズとを接合した第１接合レンズ、負レンズと正レンズとを接合した第２接合レンズ、正レンズ、正レンズで構成されていることを特徴とする請求項１乃至６のいずれか１項のズームレンズ。
【請求項８】
前記後方部分系は物体側より像側へ順に、正レンズ、負レンズと正レンズとを接合した接合レンズ、正レンズ、正レンズで構成されていることを特徴とする請求項１乃至６のいずれか１項のズームレンズ。
【請求項９】
前記後方部分系は、物体側より像側へ順に、負レンズと正レンズとを接合した接合レンズ、正レンズ、正レンズ、正レンズで構成されていることを特徴とする請求項１乃至６のいずれか１項のズームレンズ。
【請求項１０】
請求項１乃至９のいずれか一項に記載のズームレンズと、該ズームレンズによって形成
した像を受光する固体撮像素子を有していることを特徴とする撮像装置。
【請求項１１】
広角端における全系の焦点距離をｆｗｉｄｅ、前記固体撮像素子のイメージサイズの対角長をＩＳとするとき、
０．３４＜ｆｗｉｄｅ／ＩＳ＜０．６０
なる条件を満足することを特徴とする請求項１０の撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、高ズーム比、広画角でしかも高い光学性能を有したズームレンズが要望されている。高ズーム比、広画角のズームレンズとして、最も物体側に正の屈折力のレンズ群を配置し、全体として４つのレンズ群より成るポジティブリード型の４群ズームレンズが知られている。この４群ズームレンズとして、物体側から像側へ順に合焦用の第１レンズ群、変倍用の負の屈折力の第２レンズ群、変倍に伴う像面変動を補正するための負の屈折力の第３レンズ群、結像用の正の屈折力の第４レンズ群が知られている。このタイプの４群ズームレンズにおいて、高ズーム比化及び広画角化を図った４群ズームレンズが知られている（特許文献１〜４）。特許文献１〜４では、ズーム比１０〜１２倍程度、広角端の撮影画角８０°〜１００°程度のズームレンズが提案されている。
【先行技術文献】
【特許文献】
【０００３】
【特許文献１】特開平１１−０３０７４９号公報
【特許文献２】特開平１０−０６２６８６号公報
【特許文献３】特開平９−２５８１０２号公報
【特許文献４】特開２０００−３２１４９６号公報
【発明の概要】
【発明が解決しようとする課題】
【０００４】
前述したポジティブリード型の４群ズームレンズは高ズーム比、広画角化が比較的容易である。しかしながらズーム比が１０倍程度の高ズーム比、そして撮影画角８０度以上の広画角化になると、ズーミングの際の諸収差の変動が多くなり、全ズーム領域で高い光学性能を得るのが難しくなってくる。特に望遠側のズーム位置では倍率色収差及び軸上色収差が多く発生してくる。そのため色収差として一次スペクトルのみならず、二次スペクトルでの補正を良好に行うことが高画質な像性能を得るために重要になっている。この４群ズームレンズにおいて、ズーム比１０程度の高ズーム比化及び撮影画角８０度以上の広画角化を図りつつ、色収差を良好に補正し、高い光学性能を得るには第１レンズ群のレンズ構成を、適切に設定することが重要な要素になっている。この第１レンズ群のレンズ構成が適切でないと、色収差、球面収差、ハロコマ収差、球面収差の色差等の諸収差の変動が多くなり、高ズーム比、広画角で高性能化を図るのが困難となる。特にズーム比１０程度の高ズーム比化及び広角端の撮影画角１００度程度の広画角化を図ったとき、望遠端において軸上色収差が増大してくる。更に二次スペクトルの残存収差等が多くなり、これらを良好に補正するのが困難となる。
【０００５】
本発明は、高ズーム比及び広画角で、広角端から望遠端における全ズーム範囲にわたり色収差を良好に補正し、全ズーム範囲において高い光学性能を有するズームレンズ及びそれを有する撮像装置の提供を目的とする。
【課題を解決するための手段】
【０００６】
本発明のズームレンズは、物体側より像側へ順に、ズーミングのためには不動で正の屈折力の第１群、ズーミングに際して移動する負の屈折力の第２群、ズーミングに際して移動する負の屈折力の第３群、ズーミングのためには不動の正の屈折力の第４群を有するズームレンズにおいて、前記第１群は合焦のためには不動の負の屈折力の前方部分系、合焦に際して移動する正の屈折力の移動部分系、合焦のためには不動で正の屈折力の後方部分系で構成されており、前記後方部分系は、複数の正レンズと１以上の負レンズを有し、１以上の負レンズのうち、材料のアッベ数が最も小さい負レンズの材料のアッベ数と、部分分散比を各々νｎ、θｎ、複数の正レンズの材料のアッベ数νと部分分散比θの平均値を各々νｐａ、θｐａとするとき、
−１．２×１０−３＜（θｐａ−θｎ）／（νｐａ−νｎ）
νｎ＜３０
なる条件を満足することを特徴している。
【発明の効果】
【０００７】
本発明によれば、高ズーム比、広画角で、広角端から望遠端における全ズーム範囲にわたり色収差を良好に補正し、全ズーム範囲において高い光学性能を有するズームレンズが得られる。
【図面の簡単な説明】
【０００８】
【図１】数値実施例１の広角端におけるレンズ断面図
【図２】（Ａ）、（Ｂ）、（Ｃ）  数値実施例１における広角端、中間のズーム位置、望遠端における収差図
【図３】数値実施例２の広角端におけるレンズ断面図
【図４】（Ａ）、（Ｂ）、（Ｃ）  数値実施例２における広角端、中間のズーム位置、望遠端における収差図
【図５】数値実施例３の広角端におけるレンズ断面図
【図６】（Ａ）、（Ｂ）、（Ｃ）  数値実施例３における広角端、中間のズーム位置、望遠端における収差図
【図７】数値実施例４の広角端におけるレンズ断面図
【図８】（Ａ）、（Ｂ）、（Ｃ）  数値実施例４における広角端、中間のズーム位置、望遠端における収差図
【図９】数値実施例５の広角端におけるレンズ断面図
【図１０】（Ａ）、（Ｂ）、（Ｃ）  数値実施例４における広角端、中間のズーム位置、望遠端における収差図
【図１１】正の屈折力のレンズによる２色色消しと二次スペクトル残存に関する模式図
【図１２】光学材料のアッベ数νと部分分散比θの分布の模式図
【図１３】本発明の撮像装置の要部概略図
【発明を実施するための形態】
【０００９】
以下に、本発明の実施の形態を添付の図面に基づいて詳細に説明する。本発明のズームレンズは、物体側より像側へ順に、次の各レンズ群を有している。ズーミングのためには不動で正の屈折力の第１群、ズーミングに際して移動する負の屈折力の第２群、ズーミングに際して移動する負の屈折力の第３群、ズーミングのためには不動の正の屈折力の第４群を有している。ここで第１群はフォーカスに際して不動の負の屈折力の前方部分系、フォーカスのために移動する正の屈折力の移動部分系、フォーカスに際して不動で正の屈折力の後方部分系で構成されている。
【００１０】
図１は本発明の実施例１としての数値実施例１の広角端におけるレンズ断面図である。図２（Ａ）、（Ｂ）、（Ｃ）は順に、数値実施例１の広角端（ｆ＝４．５）、中間のズーム位置（ｆ＝１６．８ｍｍ）、望遠端（ｆ＝６３．００）における収差図である。ここでｆは焦点距離である。図３は本発明の実施例２としての数値実施例２の広角端におけるレンズ断面図である。図４（Ａ）、（Ｂ）、（Ｃ）は順に、数値実施例２の広角端（ｆ＝３．８５）、中間のズーム位置（ｆ＝１４．４ｍｍ）、望遠端（ｆ＝５３．９０）における収差図である。図５は本発明の実施例３としての数値実施例３の広角端におけるレンズ断面図である。図６（Ａ）、（Ｂ）、（Ｃ）は順に、数値実施例３の広角端（ｆ＝５．５０）、中間のズーム位置（ｆ＝１８．６ｍｍ）、望遠端（ｆ＝６３．００）における収差図である。図７は本発明の実施例４としての数値実施例４の広角端におけるレンズ断面図である。図８（Ａ）、（Ｂ）、（Ｃ）は順に、数値実施例４の広角端（ｆ＝４．５０）、中間のズーム位置（ｆ＝１６．８ｍｍ）、望遠端（ｆ＝６３．００）における収差図である。図９は本発明の実施例５としての数値実施例５の広角端におけるレンズ断面図である。図１０（Ａ）、（Ｂ）、（Ｃ）は順に、数値実施例５の広角端（ｆ＝４．５０）、中間のズーム位置（ｆ＝１６．８ｍｍ）、望遠端（ｆ＝６３．００）における収差図である。
【００１１】
レンズ断面図において、Ｆは正の屈折力の前玉レンズ群（第１群）（第１レンズ群）である。１ａは、第１群Ｆ内の最も物体側に配置された、固定で負の屈折力の部分系（前方部分系）である。１ｂは、第１群Ｆ内の、合焦用の正の屈折力の部分系（移動部分系）である。１ｃは、第１群Ｆ内の、固定で正の屈折力の部分系（後方部分系）である。Ｖは変倍用の負の屈折力のバリエータ（第２群）（第２レンズ群）であり、光軸上を像面側へ単調に移動させることにより、広角端から望遠端への変倍（ズーミング）を行っている。Ｃは負の屈折力のコンペンセータ（第３群）（第３レンズ群）であり、変倍に伴う像面変動を補正するために光軸上を物体側へ非直線的に移動している。バリエータＶとコンペンセータＣとでズームレンズの変倍系を構成している。ＳＰは絞り（開口絞り）である。Ｒは結像作用を有する正の屈折力の固定のリレ−群（第４群）（第４レンズ群）である。Ｐは色分解プリズムや光学フィルタ等であり、同図ではガラスブロックとして示している。Ｉは撮像面であり、撮像素子が配置されている。
【００１２】
各実施例では、第１群Ｆを構成する部分系（後方部分系）１ｃのレンズ構成や各レンズの材料の分散特性等の条件を適切に規定することにより、望遠端における軸上色収差の二次スペクトルを良好に補正している。各実施例において、部分系１ｃは、複数の正レンズと１以上の負レンズを有し、１以上の負レンズのうち、材料のアッベ数が最も小さい負レンズＧｎの材料のアッベ数と、部分分散比を各々νｎ、θｎとする。また部分系１ｃを構成する複数の正レンズの材料のアッベ数νと部分分散比θの平均値を各々νｐａ、θｐａとする。このとき、
−１．２×１０−３＜（θｐａ−θｎ）／（νｐａ−νｎ）  ‥‥‥（１）
νｎ＜３０  ‥‥‥（２）
なる条件を満足している。条件式（１）は、部分系１ｃにおける軸上色収差の二次スペクトルの残存量を減少させ、望遠端における軸上色収差の二次スペクトルを適切に補正するための条件である。
【００１３】
次にこのときの二次スペクトルについて説明する。図１１は正の屈折力のレンズ群Ｌ１における２色色消しと二次スペクトルの残存に関する模式図である。図１２は現存する光学材料のアッベ数νと部分分散比θの分布の模式図である。ここでアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）      ‥‥‥（１０）
θ＝（Ｎｇ−ＮＦ）／（ＮＦ−ＮＣ）    ‥‥‥（１１）
である。図１２に示すように、現存する光学材料はアッベ数νに対し部分分散比θが狭い範囲に分布しており、アッベ数νが小さいほど部分分散比θが大きい傾向を持っている。正の屈折力のレンズ群Ｌ１に所定の屈折力φがあり、レンズ群Ｌ１が２枚のレンズＧ１、Ｇ２で構成されているとする。この２枚のレンズＧ１、Ｇ２の屈折力をφ１、φ２、材料のアッベ数をν１、ν２とする。この２枚のレンズＧ１、Ｇ２で構成される薄肉系の色収差の補正条件は、
φ１／ν１＋φ２／ν２＝０      ‥‥‥（１２）
であらわされる。ここで、
φ＝φ１＋φ２                  ‥‥‥（１３）
である。（１２）式を満たす場合、図１１に示すようにＣ線−Ｆ線の光線の結像位置が合致する。この時の屈折力φ１、φ２は以下の式で表される。
【００１４】
φ１＝φ・ν１／（ν１−ν２）    ‥‥‥（１４）
φ２＝−φ・ν２／（ν１−ν２）  ‥‥‥（１５）
図１１において、正の屈折力のレンズ群Ｌ１の色消しでは正レンズＧ１としてアッベ数ν１の大きな材料、負レンズＧ２としてアッベ数ν２の小さな材料を用いる。したがって図１２より正レンズＧ１は部分分散比θ１が小さく、負レンズＧ２は部分分散比θ２が大きくなって、Ｆ線とＣ線で色収差を補正するとｇ線の結像点が像側にずれる。このずれ量を二次スペクトル量Δとして定義すると、
Δ＝−（１／φ）・（θ１−θ２）／（ν１−ν２）  ‥‥‥（１６）
であらわされる。
【００１５】
ここで第１群Ｆを構成する部分系１ａ、１ｂ、１ｃ、第２・第３・第４群Ｖ，Ｃ，Ｒの二次スペクトル量を順にΔ１ａ、Δ１ｂ、Δ１ｃ、Δ２、Δ３、Δ４とする。部分系１ｂ、１ｃ、第２・第３・第４群Ｖ，Ｃ，Ｒの結像倍率を順にβ１ｂ、β１ｃ、β２、β３、β４とする。そうするとレンズ全系における二次スペクトル量Δは以下の式で表される。
【００１６】
Δ＝Δ１ａ・β１ｂ２・β１ｃ２・β２２・β３２・β４２
＋Δ１ｂ・（１−β１ｂ）・β１ｃ２・β２２・β３２・β４２
＋Δ１ｃ・（１−β１ｃ）・β２２・β３２・β４２
＋Δ２・（１−β２）・β３２・β４２
＋Δ３・（１−β３）・β４２
＋Δ４・（１−β４）                              ‥‥‥（１７）
二次スペクトル量Δは、望遠側で軸上マージナル光線が高い位置を通る部分系１ｃで顕著に発生する。したがって、部分系１ｃで発生する軸上色収差の二次スペクトル量Δ１ｃを抑制することで望遠側において二次スペクトルΔを低減することが出来る。
【００１７】
条件式（１）はこのときの望遠側における二次スペクトルΔを軽減するためのものである。条件式（１）の上限を越えると、部分系１ｃの二次スペクトルが増大してしまい、望遠端において軸上色収差を良好に補正することが困難となってくる。また条件式（２）は、部分系１ｃを構成するレンズのうち、特に部分系１ｃにおける二次スペクトルの発生に効果的な負レンズＧｎの材料のアッベ数の条件を規定している。条件式（２）の上限を越えると、部分系１ｃにおける負レンズＧｎの屈折力が大きくなる。これにより、部分系１ｃで発生する望遠端において諸収差、特に球面収差、コマ収差の補正が困難となってくる。更に好ましくは条件式（１）、（２）の数値範囲を次の如く設定するのが良い。
【００１８】
−１．１９×１０−３＜（θｐａ−θｎ）／（νｐａ−νｎ）＜−１．０６×１０−３
‥‥‥（１ａ）
２２．０＜νｎ＜２９．５  ‥‥‥（２ａ）
各実施例では以上のように構成することにより、ズーム比１１以上，広角端の撮影画角１００°以上の高倍率で、広画角を達成している。更に望遠側において軸上色収差の２次スペクトルを良好に補正し、高い光学性能を得ている。各実施例では、以上の如く部分系１ｃを適切に設定することにより、諸収差を良好に補正した高ズーム比で広画角のズームレンズを得ているが、更に好ましくは次の諸条件のうちの１以上を満足するのが良い。第１群Ｆの焦点距離をｆ１、広角端と望遠端における全系の焦点距離を各々ｆｗｉｄｅ、ｆｔｅｌｅとする。部分系１ｃの焦点距離をｆ１ｃとする。部分系１ｃの１以上の負レンズのうち、材料のアッベ数が最も小さい負レンズＧｎの材料の屈折率をＮｎとする。
【００１９】
部分系１ｃの複数の正レンズの屈折力の合計値をφｐ、部分系１ｃの１以上の負レンズの屈折力の合計値（負レンズが１つのときは１つの負レンズの屈折力）をφｎとする。部分系１ｃの全体の屈折力をφ１ｃとする。このとき
２．２＜ｆｔｅｌｅ／ｆ１        ‥‥‥（３）
１．２７＜ｆｔｅｌｅ／ｆ１ｃ    ‥‥‥（４）
１．８６＜Ｎｎ                  ‥‥‥（５）
φｐ／φ１ｃ＜１．９            ‥‥‥（６）
−０．９＜φｎ／φ１ｃ          ‥‥‥（７）
１１＜ｆｔｅｌｅ／ｆｗｉｄｅ    ‥‥‥（８）
なる条件のうち１以上を満足するのが良い。
【００２０】
条件式（３）は、望遠端の焦点距離と第１群Ｆの焦点距離の比を規定することにより、高倍率化（高ズーム比化）を達成しながら軸上色収差の補正を容易にするためのものである。条件式（３）の下限を超えて第１群Ｆの焦点距離が増大すると、高倍率化と全系の小型化が困難になってくる。条件式（４）は、望遠端の焦点距離と部分系１ｃの焦点距離の比を規定することにより、高倍率化（高ズーム比化）を達成しながら軸上色収差の補正を容易にするためのものである。条件式（４）の下限を超えると部分系１ｃ焦点距離の増大に伴って、第１群の焦点距離が長大し、高倍率化（高ズーム比化）と全系の小型化が困難となってくる。条件式（５）は、部分系１ｃを構成するレンズのうち、特に部分系１ｃにおける二次スペクトルの発生に効果的なアッベ数の最も小さな材料より成る負レンズＧｎの材料の屈折率の条件を規定している。条件式（５）の下限を超えると、負レンズＧｎのレンズ面の曲率がきつくなり、負レンズＧｎの体積が増大し、収差補正が難しくなる。この結果、高倍率化と全系の小型化が困難になってくる。
条件式（６）、（７）は、部分系１ｃ全体の屈折力に対する、部分系１ｃ内の正レンズの屈折力および負レンズの屈折力との比を規定している。条件式（６）の上限および条件式（７）の下限を超えると、部分系１ｃにおける正レンズと負レンズによる二次スペクトルの発生量が増大してしまい、高倍率化を達成しながら望遠端における軸上色収差を良好に補正することが困難となってくる。条件式（８）は、望遠端の焦点距離と広角端の焦点距離の比を規定している。条件式（８）は望遠側の軸上色収差を良好に補正し、小型のズームレンズを達成するための、適切なズーム比を規定している。更に好ましくは条件式（３）〜（８）の数値範囲を次の如く設定するのが良い。
【００２１】
２．２０＜ｆｔｅｌｅ／ｆ１＜３.００          ‥‥‥（３ａ）
１．２７０＜ｆｔｅｌｅ／ｆ１ｃ＜１．５００    ‥‥‥（４ａ）
１．８６５＜Ｎｎ＜２．０５０                  ‥‥‥（５ａ）
１．３０＜φｐ／φ１ｃ＜１．８０              ‥‥‥（６ａ）
−０．８＜φｎ／φ１ｃ＜−０．２              ‥‥‥（７ａ）
１１．４＜ｆｔｅｌｅ／ｆｗｉｄｅ＜１５．０    ‥‥‥（８ａ）
更に条件式（３）、（４）に関しては、次の如く設定すると尚良い。
【００２２】
２．２０＜ｆｔｅｌｅ／ｆ１＜２.５０          ‥‥‥（３ｂ）
１．２７０＜ｆｔｅｌｅ／ｆ１ｃ＜１．３２０    ‥‥‥（４ｂ）
本発明のズームレンズを固体撮像素子を有する撮像装置に用いたとき、固体撮像素子のイメージサイズの対角長をＩＳとする。このとき、
０．３４＜ｆｗｉｄｅ／ＩＳ＜０．６０          ‥‥‥（９）
なる条件を満足するのが良い。条件式（９）は、広角端における全系の焦点距離と固体撮像素子のイメージサイズの対角長（有効画角長）の比に関する。条件式（９）は望遠側の軸上色収差を良好に補正し、小型のズームレンズを達成するために、広角端における撮影画角を適切にしている。条件式（９）の下限を超えると、部分系１ａの有効径が増大し全系の小型化が困難となってくる。更に好ましくは条件式（９）の数値範囲を次の如く設定するのが良い。
【００２３】
０．３４５＜ｆｗｉｄｅ／ＩＳ＜０．５５０          ‥‥‥（９ａ）
次に、各実施例における第１群Ｆの一部を構成する部分系１ｃのレンズ構成について説明する。図１の実施例１の部分系１ｃは物体側より数えて第１１面（第１１レンズ面）〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて３番目の負レンズが、部分系１ｃ内で最もアッベ数が小さい材料より成る負レンズである。実施例１に係る数値実施例１は前述したいずれの条件式も満足している。実施例１はズーム比１１以上、広角端での撮影画角１００°以上の高倍率で、広画角を達成しながら全系を小型化し、望遠端において軸上色収差を良好に補正した高い光学性能のズームレンズを達成している。
【００２４】
図３の実施例２の部分系１ｃは物体側から数えて第１１面〜第１９面が対応する。部分系１ｃは物体側より像側へ順に、正レンズ、負レンズと正レンズとを接合した接合レンズ、正レンズ、正レンズで構成されている。部分系１ｃ内の物体側から数えて２番目の負レンズが、部分系１ｃ内で最もアッベ数が小さい材料より成る負レンズである。実施例に係る数値実施例２は前述したいずれの条件式も満足している。実施例２はズーム比１１以上、広角端での撮影画角１００°以上の高倍率で、広画角を達成しながら全系を小型化し、望遠端において軸上色収差を良好に補正した高い光学性能のズームレンズを達成している。図５の実施例３の部分系１ｃは物体側から数えて第１１面〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて３番目の負レンズが、部分系１ｃ内で最もアッベ数が小さい材料より成る負レンズである。
【００２５】
実施例３に係る数値実施例３は前述したいずれの条件式も満足している。実施例３はズーム比１１以上、広角端の撮影画角９０°程度の高倍率で、広画角を達成しながら全系を小型化し、望遠端において軸上色収差を良好に補正した高い光学性能のズームレンズを達成している。図７の実施例４の部分系１ｃは物体側から数えて第１４面〜第２２面が対応する。部分系１ｃは物体側より像側へ順に、負レンズと正レンズとを接合した接合レンズ、正レンズ、正レンズ、正レンズで構成されている。部分系１ｃ内の物体側から数えて１番目の負レンズが、部分系１ｃ内で最もアッベ数が小さい材料より成る負レンズである。
【００２６】
実施例４に係る数値実施例４は前述したいずれの条件式も満足している。実施例４はズーム比１１以上、広角端の撮影画角１００°以上の高倍率で、広画角を達成しながら全系を小型化し、望遠端において軸上色収差を良好に補正した高い光学性能のズームレンズを達成している。図９の実施例５の部分系１ｃは物体側から数えて第１１面〜第２０面が対応する。部分系１ｃは物体側より像側へ順に、正レンズと負レンズとを接合した第１接合レンズ、負レンズと正レンズとを接合した第２接合レンズ、正レンズ、正レンズで構成されている。部分系１ｃ内の物体側から数えて３番目の負レンズが、部分系１ｃ内で最もアッベ数が小さい材料より成る負レンズである。
【００２７】
実施例５に係る数値実施例５は前述したいずれの条件式も満足している。実施例５はズーム比１１以上、広角端の撮影画角１００°以上の高倍率で、広画角を達成しながら全系を小型化し、望遠端において軸上色収差を良好に補正した高い光学性能のズームレンズを達成している。各実施例における第１群Ｆの一部を構成する合焦用の移動部分系（部分系）１ｂの構成は次のとおりである。図１、図３、図５、図９の実施例１、２、３、５において部分系１ｂは単一の正レンズより成っている。図７の実施例４において部分系１ｂは正レンズ、正レンズと負レンズとを接合した接合レンズより成っている。各実施例において第１群Ｆの一部を構成する前方部分系（部分系）１ａはメニスカス形状の２つの負レンズ、負レンズ、正レンズより成っている。
【００２８】
以下に本発明の実施例１〜５に対応する数値実施例１〜５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ、νｄｉは第ｉ番目の光学部材の屈折率とアッベ数である。焦点距離、Ｆナンバー、画角はそれぞれ無限遠物体に焦点を合わせたときの値を表している。ＢＦは最終レンズ面から像面までの距離を空気換算した値である。最後の３つの面は、フィルタ等のガラスブロックである。Ａ３乃至Ａ１２は非球面係数である。非球面係数は光軸からの高さＨの位置での光軸方向の変位を面頂点を基準にしてｘとするとき
【００２９】
【数１】
2011039398.tif 000003
【００３０】
で表される。但しＲは近軸曲率半径、Ｋは円錐定数である。又、「ｅ−０Ｘ」は「×１０−ｘ」を意味している。又、前述の各条件式と数値実施例との関係を表−１に示す。
【００３１】
〈数値実施例１〉
面番号    r         d        nd        νd      θgF    有効径   焦点距離
1   497.51526   2.50000  1.772500   49.50   0.5519   83.019  -44.307
2    32.09747  15.34143  1.000000    0.00   0.0000   58.195    0.000
3   117.40597   1.85000  1.772500   49.50   0.5519   57.990 -160.549
4    60.03632  11.92200  1.000000    0.00   0.0000   55.522    0.000
5  -102.03281   1.75000  1.772500   49.50   0.5519   55.404  -98.137
6   302.83186   0.15000  1.000000    0.00   0.0000   56.743    0.000
7    87.76084   6.56957  1.805150   25.50   0.6156   58.712  127.012
8   566.61117   2.57475  1.000000    0.00   0.0000   58.580    0.000
9  3483.26414   7.13203  1.603112   60.64   0.5414   58.538  130.345
10   -80.68906   7.26670  1.000000    0.00   0.0000   58.503    0.000
11   707.15570   8.89740  1.438750   94.99   0.5342   55.798  132.528
12   -63.28583   1.65000  1.654115   39.70   0.5737   55.751 -183.210
13  -134.59681   0.15000  1.000000    0.00   0.0000   56.894    0.000
14   116.12008   1.65000  1.882210   23.78   0.6036   59.734 -159.227
15    63.42628  11.85375  1.438750   94.99   0.5342   59.576  121.080
16  -313.22558   0.18000  1.000000    0.00   0.0000   60.492    0.000
17   217.69179  12.10741  1.496999   81.54   0.5375   61.883  109.307
18   -71.32910   0.18000  1.000000    0.00   0.0000   62.265    0.000
19    82.77703   8.50249  1.592400   68.30   0.5456   58.656  113.420
20  -349.58745    (可変)  1.000000    0.00   0.0000   57.773    0.000
21    28.05654   0.75000  1.882997   40.76   0.5667   21.224  -30.060
22    13.50815   3.69929  1.000000    0.00   0.0000   18.360    0.000
23   177.13253   0.75000  1.834000   37.16   0.5775   18.083  -39.648
24    27.96059   3.88668  1.000000    0.00   0.0000   17.184    0.000
25   -30.52153   5.09071  1.784723   25.68   0.6161   16.710   18.027
26   -10.44340   0.80000  1.882997   40.76   0.5667   16.841  -14.034
27   -66.74005   0.13706  1.000000    0.00   0.0000   17.697    0.000
28    45.66845   2.43724  1.592701   35.31   0.5933   17.897   53.971
29  -107.03858    (可変)  1.000000    0.00    0.0000   17.823    0.000
30   -26.74621   0.75000  1.740999   52.64    0.5467   18.189  -23.566
31    51.58216   2.26114  1.808095   22.76    0.6307   19.600   49.466
32  -182.39114    (可変)  1.000000    0.00    0.0000   20.014    0.000
33     0.00000   1.40000  1.000000    0.00    0.0000   27.356    0.000
34   542.88958   3.08868  1.720000   43.69    0.5699   28.377   75.555
35   -60.67748   0.15000  1.000000    0.00    0.0000   28.773    0.000
36    73.99391   3.90770  1.639999   60.07    0.5372   29.550   65.848
37   -96.76937   0.22000  1.000000    0.00    0.0000   29.522    0.000
38    55.91255   6.24462  1.516330   64.14    0.5352   28.754   46.913
39   -41.37922   1.00000  1.882997   40.76    0.5667   28.112  -33.537
40   107.51631  34.00000  1.000000    0.00    0.0000   27.595    0.000
41    71.70949   5.19718  1.567322   42.80    0.5730   27.756   51.159
42   -47.91739   0.30000  1.000000    0.00    0.0000   27.501    0.000
43  -696.89119   1.00000  1.882997   40.76    0.5667   26.161  -23.663
44    21.68388   6.16444  1.516330   64.14    0.5352   24.694   36.921
45  -146.96232   0.20000  1.000000    0.00    0.0000   24.617    0.000
46    34.21408   7.74204  1.516330   64.14    0.5352   24.216   28.048
47   -23.32121   1.00000  1.882997   40.76    0.5667   23.798   20.363
48    82.17483   0.87964  1.000000    0.00    0.0000   24.249    0.000
49    45.55541   6.21162  1.516330   64.14    0.5352   25.024   37.441
50   -32.22841   4.00000  1.000000    0.00    0.0000   25.183    0.000
51     0.00000  33.00000  1.608590   46.44    0.5664   23.040    0.000
52     0.00000  13.20000  1.516800   64.17    0.5347   16.405    0.000
53     0.00000   0.00000  1.000000    0.00    0.0000   13.587    0.000
非球面データ
第1面
K  = 1.22038e+002  A 4= 2.53837e-006  A 6=-2.87657e-010 
A 8=-2.07660e-013  A10=-1.06570e-016  A12= 1.95302e-020  
A 3=-3.54481e-006  A 5=-3.22306e-008  A 7= 8.19704e-012 
A 9= 1.05404e-014  A11=-2.16883e-018  
第10面
K  = 1.40399e+000  A 4= 7.52699e-007  A 6=-4.30444e-010 
A 8=-3.69752e-013  A10= 9.22352e-016  A12=-2.33283e-019  
A 3= 9.93207e-007  A 5= 2.14919e-008  A 7=-5.88837e-012 
A 9=-1.27999e-014  A11=-1.61555e-018  
第13面
K  =-5.71530e+000  A 4= 5.22731e-007  A 6= 2.51200e-010 
A 8= 3.97465e-013  A10=-2.87988e-016  A12= 2.93855e-019  
A 3=-8.98702e-007  A 5=-9.12604e-009  A 7= 8.80536e-012 
A 9=-4.36901e-015  A11=-6.20847e-018  
各種データ
ズーム比     14.00 
広角     中間     望遠
焦点距離       4.50    16.83    63.00  
Fナンバー      1.90     1.90     2.80  
半画角        50.71    18.10     4.99  
像高           5.50     5.50     5.50  
レンズ全長   313.23   313.23   313.23  
BF            7.90     7.90     7.90  
d20            0.46    31.36    44.52  
d29           41.48     7.43     8.07  
d32           11.70    14.85     1.05  
d53            7.90     7.90     7.90  
入射瞳位置    31.73    52.85   103.97  
射出瞳位置   452.73   452.73   452.73  
前側主点位置  36.28    70.32   175.89  
後側主点位置   3.40    -8.93   -55.10  
ズームレンズ群データ
群  始面    焦点距離  レンズ構成長  前側主点位置  後側主点位置
1    1      27.10       102.23        43.82         36.91
2   21     -17.40        17.55         0.89        -13.92
3   30     -46.00         3.01        -0.37         -2.06
4   33      58.06       128.91        64.63       -118.38
【００３２】
〈数値実施例２〉
面番号    r         d        nd        νd      θgF    有効径   焦点距離
1   148.91537   2.25000  1.882997   40.76   0.5667   88.950  -46.311
2    32.00033  17.20243  1.000000    0.00   0.0000   61.064    0.000
3    85.79575   1.80000  1.772500   49.50   0.5519   60.761 -139.986
4    47.50200  15.49710  1.000000    0.00   0.0000   56.247    0.000
5   -81.25871   1.70000  1.772500   49.50    0.5519  55.714  -69.201
6   159.91592   0.13500  1.000000    0.00    0.0000  56.703    0.000
7    82.55361   5.74046  1.805150   25.50    0.6156  58.135  133.156
8   337.40325   2.50702  1.000000    0.00    0.0000  57.993    0.000
9   461.78735   5.83074  1.603112   60.64    0.5414  58.286  164.508
10  -126.39592   4.71717  1.000000    0.00    0.0000  58.858    0.000
11   184.51952   7.47208  1.438750   94.99    0.5342  61.546  141.031
12   -92.29319   0.13500  1.000000    0.00    0.0000  61.679    0.000
13   113.83160   1.70000  1.882210   23.78    0.6036  62.610 -133.387
14    57.73227  14.45540  1.438750   94.99    0.5342  61.756   95.502
15  -142.42453   0.16200  1.000000    0.00    0.0000  62.217    0.000
16   199.25496  12.93464  1.496999   81.54    0.5375  62.986   97.459
17   -62.85393   0.16200  1.000000    0.00    0.0000  62.940    0.000
18    96.17157   6.29833  1.592400   68.30    0.5456  53.929  156.081
19 -2569.66378    (可変)  1.000000    0.00    0.0000   52.382   0.000
20    58.65986   0.90000  1.882997   40.76   0.5667   22.613 -27.896
21    17.29298   3.71131  1.000000    0.00   0.0000   19.490   0.000
22  -126.78459   0.90000  1.834000   37.16   0.5775   19.181 -29.443
23    30.79447   2.62551  1.000000    0.00   0.0000   18.174   0.000
24  -173.36127   6.03826  1.784723   25.68   0.6161   17.979  15.538
25   -11.66587   0.90000  1.882997   40.76   0.5667   17.853 -14.271
26  -151.85845   0.12819  1.000000    0.00   0.0000   18.160   0.000
27    35.71912   2.17651  1.592701   35.31   0.5933   18.183  72.005
28   207.02341    (可変)  1.000000    0.00    0.0000  17.961   0.000
29   -26.27977   0.80000  1.740999   52.64   0.5467   17.166  -22.039
30    44.22241   2.19602  1.808095   22.76   0.6307   18.520   49.933
31  -510.04731    (可変)  1.000000    0.00   0.0000   18.952    0.000
32     0.00000   1.40000  1.000000    0.00   0.0000   27.098    0.000
33  4615.65877   2.98519  1.723420   37.95   0.5836   28.080   79.424
34   -58.53296   0.15000  1.000000    0.00   0.0000   28.538    0.000
35    63.01824   4.46957  1.639999   60.07   0.5372   29.626   55.226
36   -78.96423   0.22000  1.000000    0.00   0.0000   29.608    0.000
37    56.57823   6.76527  1.516330   64.14   0.5352   28.656   45.776
38   -39.18587   1.00000  1.882997   40.76   0.5667   27.805  -32.587
39   112.03673  34.00000  1.000000    0.00   0.0000   27.247    0.000
40    68.23275   5.15077  1.567322   42.80   0.5730   26.444   53.123
41   -53.02455   0.30000  1.000000    0.00   0.0000   26.093    0.000
42   521.27243   1.00000  1.882997   40.76   0.5667   24.895  -20.258
43    17.37609   6.40031  1.516330   64.14   0.5352   23.201   32.251
44  -383.71550   0.20000  1.000000    0.00   0.0000   23.229    0.000
45    32.63023   7.45733  1.516330   64.14   0.5352   23.210   28.636
46   -25.09727   1.00000  1.882997   40.76   0.5667   22.518  -21.948
47    88.93537   0.87964  1.000000    0.00   0.0000   22.499    0.000
48    39.08867   6.24935  1.487490   70.23   0.5300   22.916   35.153
49   -29.08824   4.00000  1.000000    0.00   0.0000   22.792    0.000
50     0.00000  33.00000  1.608590   46.44   0.5664   40.000    0.000
51     0.00000  13.20000  1.516800   64.17   0.5347   40.000    0.000
52     0.00000   0.00000  1.000000    0.00   0.0000   40.000    0.000
非球面データ
第1面
K  = 5.31002e+000  A 4= 3.43635e-006  A 6=-2.83495e-010 
A 8=-3.90687e-013  A10=-9.82135e-018  A 3=-2.93410e-005 
A 5=-3.55248e-008  A 7= 1.32522e-011  A 9= 5.61324e-015  
第10面
K  = 3.49649e+000  A 4= 9.99447e-007  A 6=-6.51519e-010 
A 8= 1.82958e-013  A10= 2.76247e-015  A12=-3.20070e-019  
A 3=-5.59360e-006  A 5= 2.47649e-008  A 7=-8.00307e-012 
A 9=-5.68842e-014  A11=-2.36423e-017  
第12面
K  =-3.77482e+000  A 4= 1.13718e-006  A 6=-1.26652e-010 
A 8= 1.09170e-012  A10=-7.16665e-016  A12= 5.52685e-019  
A 3= 1.41681e-006  A 5=-2.34451e-010  A 7= 2.21313e-011 
A 9=-1.02645e-014  A11=-1.25994e-017  
各種データ
ズーム比     14.00 
広角     中間     望遠
焦点距離       3.85    14.40    53.90  
Fナンバー      1.89     1.89     2.77  
半画角        55.01    20.91     5.83  
像高           5.50     5.50     5.50  
レンズ全長   312.71   312.71   312.71  
BF             6.64     6.64     6.64  
d19            0.46    30.12    42.82  
d28           43.00    10.62     8.52  
d31           11.70    14.42     3.83  
d52            6.64     6.64     6.64  
入射瞳位置    30.96    49.17    95.93  
射出瞳位置   288.38   288.38   288.38  
前側主点位置  34.86    64.30   160.14  
後側主点位置   2.79    -7.76   -47.26  
ズームレンズ群データ
群  始面    焦点距離  レンズ構成長  前側主点位置  後側主点位置
1    1      24.39       100.70        42.67         37.19
2   20     -16.27        17.38         1.17        -12.16
3   29     -40.00         3.00        -0.14         -1.81
4   32      63.44       129.83        74.60       -135.64
【００３３】
〈数値実施例３〉
面番号    r         d        nd        νd      θgF    有効径   焦点距離
1   497.51526   2.50000  1.772500   49.50   0.5519   72.523  -43.580
2    31.60427  12.90281  1.000000    0.00   0.0000   54.207    0.000
3   114.69887   1.85000  1.772500   49.50   0.5519   53.990 -144.707
4    56.34925  12.65005  1.000000    0.00   0.0000   52.142    0.000
5  -112.62951   1.75000  1.772500   49.50   0.5519   52.581 -150.404
6 -3216.80161   0.15000  1.000000    0.00   0.0000   53.944    0.000
7    88.00382   5.79285  1.805150   25.50   0.6156   56.431  121.656
8   777.89350   2.01992  1.000000    0.00   0.0000   56.358    0.000
9   754.15083   6.85593  1.603112   60.64   0.5414   56.317  126.112
10   -84.67018   8.42290  1.000000    0.00   0.0000   56.242    0.000
11-32750.56153   9.19040  1.438750   94.99   0.5342   51.516  131.247
12   -57.63256   1.65000  1.654115   39.70   0.5737   51.938 -172.334
13  -118.52427   0.15000  1.000000    0.00   0.0000   53.552    0.000
14   127.31367   1.65000  1.882210   23.78   0.6036   55.433 -137.019
15    61.93990   9.97858  1.438750   94.99   0.5342   55.223  129.843
16  -696.60865   0.18000  1.000000    0.00   0.0000   56.009    0.000
17   205.35980  11.70045  1.496999   81.54   0.5375   56.974   97.567
18   -62.51588   0.18000  1.000000    0.00   0.0000   57.352    0.000
19    75.35035   7.92763  1.592400   68.30   0.5456   53.463  110.564
20  -494.37360    (可変)  1.000000    0.00    0.0000   52.340   0.000
21    32.49370   0.75000  1.882997   40.76   0.5667   23.029  -28.765
22    14.14708   3.99298  1.000000    0.00   0.0000   19.832    0.000
23    84.84168   0.75000  1.834000   37.16   0.5775   19.515  -53.891
24    29.38398   3.55186  1.000000    0.00   0.0000   18.747    0.000
25   -58.96432   6.04560  1.784723   25.68   0.6161   18.408   18.190
26   -12.10110   0.80000  1.882997   40.76   0.5667   18.398  -14.330
27  -253.65649   0.13706  1.000000    0.00   0.0000   18.944    0.000
28    32.84217   2.50702  1.592701   35.31   0.5933   19.199   68.177
29   165.60896    (可変)  1.000000    0.00    0.0000  19.014    0.000
30   -27.29709   0.75000  1.740999   52.64    0.5467  19.325  -22.811
31    45.45094   2.33493  1.808095   22.76    0.6307  20.921   46.225
32  -217.30806    (可変)  1.000000    0.00    0.0000  21.252    0.000
33     0.00000   1.40000  1.000000    0.00    0.0000  27.306    0.000
34   542.88958   3.08868  1.720000   43.69    0.5699  28.325   75.555
35   -60.67748   0.15000  1.000000    0.00    0.0000  28.723    0.000
36    73.99391   3.90770  1.639999   60.07    0.5372  29.497   65.848
37   -96.76937   0.22000  1.000000    0.00    0.0000  29.469    0.000
38    55.91255   6.24462  1.516330   64.14    0.5352  28.706   46.913
39   -41.37922   1.00000  1.882997   40.76    0.5667  28.061  -33.537
40   107.51631  34.00000  1.000000    0.00    0.0000  27.546    0.000
41    71.70949   5.19718  1.567322   42.80    0.5730  27.715   51.159
42   -47.91739   0.30000  1.000000    0.00    0.0000  27.459    0.000
43  -696.89119   1.00000  1.882997   40.76    0.5667  26.125  -23.663
44    21.68388   6.16444  1.516330   64.14    0.5352  24.664   36.921
45  -146.96232   0.20000  1.000000    0.00    0.0000  24.789    0.000
46    34.21408   7.74204  1.516330   64.14    0.5352  25.115   28.048
47   -23.32121   1.00000  1.882997   40.76    0.5667  24.759  -20.363
48    82.17483   0.87964  1.000000    0.00    0.0000  25.259    0.000
49    45.55541   6.21162  1.516330   64.14    0.5352  26.106   37.443
50   -32.23088   4.00000  1.000000    0.00    0.0000  26.235    0.000
51     0.00000  33.00000  1.608590   46.44    0.5664  23.862    0.000
52     0.00000  13.20000  1.516800   64.17    0.5347  16.774    0.000
53     0.00000   0.00000  1.000000    0.00    0.0000  13.763    0.000
非球面データ
第1面
K  = 1.22038e+002  A 4= 2.53837e-006  A 6=-2.87657e-010 
A 8=-2.07660e-013  A10=-1.06570e-016  A12= 1.95302e-020  
A 3=-3.54481e-006  A 5=-3.22306e-008  A 7= 8.19704e-012 
A 9= 1.05404e-014  A11=-2.16883e-018  
第10面
K  = 8.38442e-001  A 4= 8.93876e-007  A 6=-6.79823e-010 
A 8=-2.80406e-013  A10= 1.04654e-015  A12=-3.21884e-019  
A 3= 1.46404e-006  A 5= 1.34063e-008  A 7=-3.07921e-012 
A 9=-4.86415e-015  A11=-1.19457e-017  
第13面
K  =-4.68364e+000  A 4= 5.18349e-007  A 6= 3.65391e-010 
A 8= 3.84546e-013  A10=-2.50678e-016  A12= 2.99364e-019  
A 3=-1.50551e-006  A 5=-4.22288e-009  A 7= 5.78921e-012 
A 9=-6.44557e-015  A11=-4.63750e-018  
各種データ
ズーム比     11.45 
広角     中間     望遠
焦点距離       5.50    18.59    63.00  
Fナンバー      1.90     1.90     2.80  
半画角        45.00    16.48     4.99  
像高           5.50     5.50     5.50  
レンズ全長   304.69   304.69   304.69  
BF             7.91     7.91     7.91  
d20            0.46    26.54    38.20  
d29           35.72     7.58     9.50  
d32           12.57    14.63     1.05  
d53            7.91     7.91     7.91  
入射瞳位置    32.76    54.31   102.88  
射出瞳位置   453.02   453.02   453.02  
前側主点位置  38.33    73.68   174.79  
後側主点位置   2.41   -10.68   -55.09  
ズームレンズ群データ
群  始面    焦点距離  レンズ構成長  前側主点位置  後側主点位置
1    1      27.10        97.50        42.74         31.44
2   21     -17.40        18.53         1.75        -12.44
3   30     -46.00         3.08        -0.33         -2.06
4   33      58.06       128.91        64.63       -118.37
【００３４】
〈数値実施例４〉
面番号    r         d        nd        νd      θgF    有効径   焦点距離
1   497.51526   2.50000  1.772500   49.50   0.5519   83.227  -42.123
2    30.61263  16.06283  1.000000    0.00   0.0000   56.996    0.000
3   104.02302   1.85000  1.772500   49.50   0.5519   56.850 -242.399
4    66.46715   9.53815  1.000000    0.00   0.0000   55.338    0.000
5  -177.77137   1.75000  1.772500   49.50   0.5519   55.350  -93.468
6   123.10296   0.15000  1.000000    0.00   0.0000   56.374    0.000
7    87.67241   7.83606  1.805150   25.50   0.6156   57.547  102.784
8 -1693.81503   3.06303  1.000000    0.00   0.0000   57.606    0.000
9  -319.31065   6.48099  1.603112   60.64   0.5414   57.629  160.694
10   -75.14495   0.15000  1.000000    0.00   0.0000   57.762    0.000
11  -331.49625   7.26990  1.438750   94.99   0.5342   54.797  202.914
12   -70.79058   1.65000  1.720467   34.70   0.5834   54.516 -200.815
13  -139.06665   6.19135  1.000000    0.00   0.0000   55.265    0.000
14   151.31074   1.65000  1.882210   23.78   0.6036   57.198 -140.833
15    68.24131  12.24560  1.438750   94.99   0.5342   57.527  108.269
16  -148.97276   0.18000  1.000000    0.00   0.0000   58.708    0.000
17   445.12895   6.89005  1.438750   94.99   0.5342   60.342  219.937
18  -123.01776   0.18000  1.000000    0.00   0.0000   60.811    0.000
19   227.91378   8.07936  1.496999   81.54   0.5375   61.464  159.004
20  -120.07866   0.18000  1.000000    0.00   0.0000   61.426    0.000
21    90.06935   8.38412  1.592400   68.30   0.5456   58.683  117.486
22  -300.17372    (可変)  1.000000    0.00   0.0000   57.762    0.000
23    27.96707   0.75000  1.882997   40.76   0.5667   20.818  -31.073
24    13.71530   3.23392  1.000000    0.00   0.0000   18.112    0.000
25    84.17301   0.75000  1.834000   37.16   0.5775   17.854  -40.461
26    24.09897   3.74277  1.000000    0.00   0.0000   16.852    0.000
27   -28.21880   5.05011  1.784723   25.68   0.6161   16.449   17.706
28   -10.10793   0.80000  1.882997   40.76   0.5667   16.556  -13.068
29   -81.20738   0.13706  1.000000    0.00   0.0000   17.422    0.000
30    48.19190   2.97928  1.592701   35.31   0.5933   17.651   47.409
31   -66.90589    (可変)  1.000000    0.00    0.0000  17.717    0.000
32   -27.36425   0.75000  1.740999   52.64    0.5467  18.156  -23.542
33    49.29727   2.27041  1.808095   22.76    0.6307  19.537   49.265
34  -213.94979    (可変)  1.000000    0.00    0.0000  19.946    0.000
35     0.00000   1.40000  1.000000    0.00    0.0000  27.295    0.000
36   542.88958   3.08868  1.720000   43.69    0.5699  28.315   75.555
37   -60.67748   0.15000  1.000000    0.00    0.0000  28.713    0.000
38    73.99391   3.90770  1.639999   60.07    0.5372  29.490   65.848
39   -96.76937   0.22000  1.000000    0.00    0.0000  29.463    0.000
40    55.91255   6.24462  1.516330   64.14    0.5352  28.703   46.913
41   -41.37922   1.00000  1.882997   40.76    0.5667  28.058  -33.537
42   107.51631  34.00000  1.000000    0.00    0.0000  27.546    0.000
43    71.70949   5.19718  1.567322   42.80    0.5730  27.744   51.159
44   -47.91739   0.30000  1.000000    0.00    0.0000  27.490    0.000
45  -696.89119   1.00000  1.882997   40.76    0.5667  26.154  -23.663
46    21.68388   6.16444  1.516330   64.14    0.5352  24.691   36.921
47  -146.96232   0.20000  1.000000    0.00    0.0000  24.615    0.000
48    34.21408   7.74204  1.516330   64.14    0.5352  24.172   28.048
49   -23.32121   1.00000  1.882997   40.76    0.5667  23.321  -20.363
50    82.17483   0.87964  1.000000    0.00    0.0000  23.720    0.000
51    45.55541   6.21162  1.516330   64.14    0.5352  24.464   37.411
52   -32.18297   4.00000  1.000000    0.00    0.0000  24.640    0.000
53     0.00000  33.00000  1.608590   46.44    0.5664  22.611    0.000
54     0.00000  13.20000  1.516800   64.17    0.5347  16.222    0.000
55     0.00000   0.00000  1.000000    0.00    0.0000  13.509    0.000
非球面データ
第1面
K  = 1.22038e+002  A 4= 2.53837e-006  A 6=-2.87657e-010
A 8=-2.07660e-013  A10=-1.06570e-016  A12= 1.95302e-020  
A 3=-3.54481e-006  A 5=-3.22306e-008  A 7= 8.19704e-012 
A 9= 1.05404e-014  A11=-2.16883e-018  
第10面
K  = 7.05960e-001  A 4= 2.85924e-007  A 6=-4.91785e-010 
A 8=-5.15859e-013  A10= 1.20883e-015  A12=-6.84909e-019  
A 3= 5.62400e-006  A 5= 2.11908e-008  A 7=-1.76532e-011 
A 9=-1.82369e-014  A11= 7.62810e-019  
第13面
K  =-9.56112e-001  A 4= 3.56634e-007  A 6= 1.77109e-010 
A 8= 2.02544e-013  A10=-4.26967e-016  A12= 4.21405e-019  
A 3=-4.67533e-006  A 5=-1.30225e-008  A 7= 1.43599e-011 
A 9= 3.29094e-015  A11=-6.21099e-018  
各種データ
ズーム比     14.00 
広角     中間     望遠
焦点距離       4.50    16.84    63.00  
Fナンバー      1.90     1.90     2.80  
半画角        50.71    18.09     4.99  
像高           5.50     5.50     5.50  
レンズ全長   313.28   313.28   313.28  
BF             7.92     7.92     7.92  
d22            0.46    31.37    44.52  
d31           41.55     7.49     8.14  
d34           11.70    14.85     1.05  
d55            7.92     7.92     7.92  
入射瞳位置    31.47    52.60   103.64  
射出瞳位置   447.43   447.43   447.43  
前側主点位置  36.02    70.09   175.67  
後側主点位置   3.42    -8.92   -55.08  
ズームレンズ群データ
群  始面    焦点距離  レンズ構成長  前側主点位置  後側主点位置
1    1      27.10       102.28        43.56         36.81
2   23     -17.40        17.44         0.79        -13.80
3   32     -46.00         3.02        -0.32         -2.02
4   35      58.10       128.91        64.75       -118.43
【００３５】
〈数値実施例５〉
面番号    r         d        nd        νd      θgF    有効径   焦点距離
1   497.51526   2.50000  1.772500   49.50   0.5519   83.034  -44.438
2    32.18618  15.47749  1.000000    0.00   0.0000   58.273    0.000
3   123.94714   1.85000  1.772500   49.50   0.5519   58.069 -156.816
4    61.01170  11.64275  1.000000    0.00   0.0000   55.591    0.000
5  -106.87289   1.75000  1.772500   49.50   0.5519   55.470  100.407
6   289.91870   0.15000  1.000000    0.00   0.0000   56.699    0.000
7    87.59834   5.94049  1.805150   25.50   0.6156   58.563  122.663
8   700.95918   2.59125  1.000000    0.00   0.0000   58.463    0.000
9-18117.95838   7.18554  1.603112   60.64   0.5414   58.362  130.033
10   -78.40394   6.79855  1.000000    0.00   0.0000   58.306    0.000
11   460.49852   9.20985  1.438750   94.99   0.5342   54.901  118.658
12   -58.50397   1.65000  1.720467   34.70   0.5834   54.813 -137.208
13  -143.61723   0.15000  1.000000    0.00   0.0000   56.208    0.000
14   120.54939   1.65000  1.870000   29.30   0.6035   59.082 -144.685
15    61.42095  11.69187  1.438750   94.99   0.5342   59.103  113.169
16  -247.32077   0.18000  1.000000    0.00   0.0000   59.932    0.000
17   235.02890  11.40898  1.496999   81.54   0.5375   61.600  110.560
18   -70.82646   0.18000  1.000000    0.00   0.0000   62.004    0.000
19    85.27870   9.25009  1.592400   68.30   0.5456   59.265  103.787
20  -214.09308    (可変)  1.000000    0.00   0.0000   58.478    0.000
21    27.95513   0.75000  1.882997   40.76   0.5667   21.175  -29.706
22    13.40188   3.66688  1.000000    0.00   0.0000   18.297    0.000
23   153.29153   0.75000  1.834000   37.16   0.5775   18.030  -39.613
24    27.26110   3.65856  1.000000    0.00   0.0000   17.127    0.000
25   -30.18504   5.09509  1.784723   25.68   0.6161   16.757   18.166
26   -10.46929   0.80000  1.882997   40.76   0.5667   16.902  -14.400
27   -59.79397   0.13706  1.000000    0.00   0.0000   17.778    0.000
28    42.67963   2.39861  1.592701   35.31   0.5933   17.966   56.866
29  -162.02963    (可変)  1.000000    0.00    0.0000  17.854    0.000
30   -26.78828   0.75000  1.740999   52.64    0.5467  18.193  -23.809
31    52.99042   2.23891  1.808095   22.76    0.6307  19.590   50.520
32  -182.56812    (可変)  1.000000    0.00    0.0000  20.005    0.000
33     0.00000   1.40000  1.000000    0.00    0.0000  27.348    0.000
34   542.88958   3.08868  1.720000   43.69    0.5699  28.369   75.555
35   -60.67748   0.15000  1.000000    0.00    0.0000  28.766    0.000
36    73.99391   3.90770  1.639999   60.07    0.5372  29.543   65.848
37   -96.76937   0.22000  1.000000    0.00    0.0000  29.516    0.000
38    55.91255   6.24462  1.516330   64.14    0.5352  28.749   46.913
39   -41.37922   1.00000  1.882997   40.76    0.5667  28.108  -33.537
40   107.51631  34.00000  1.000000    0.00    0.0000  27.591    0.000
41    71.70949   5.19718  1.567322   42.80    0.5730  27.766   51.159
42   -47.91739   0.30000  1.000000    0.00    0.0000  27.512    0.000
43  -696.89119   1.00000  1.882997   40.76    0.5667  26.171  -23.663
44    21.68388   6.16444  1.516330   64.14    0.5352  24.703   36.921
45  -146.96232   0.20000  1.000000    0.00    0.0000  24.627    0.000
46    34.21408   7.74204  1.516330   64.14    0.5352  24.321   28.048
47   -23.32121   1.00000  1.882997   40.76    0.5667  23.910  -20.363
48    82.17483   0.87964  1.000000    0.00    0.0000  24.368    0.000
49    45.55541   6.21162  1.516330   64.14    0.5352  25.151   37.431
50   -32.21255   4.00000  1.000000    0.00    0.0000  25.308    0.000
51     0.00000  33.00000  1.608590   46.44    0.5664  23.138    0.000
52     0.00000  13.20000  1.516800   64.17    0.5347  16.453    0.000
53     0.00000   0.00000  1.000000    0.00    0.0000  13.613    0.000
非球面データ
第1面
K  = 1.22038e+002  A 4= 2.53837e-006  A 6=-2.87657e-010 
A 8=-2.07660e-013  A10=-1.06570e-016  A12= 1.95302e-020  
A 3=-3.54481e-006  A 5=-3.22306e-008  A 7= 8.19704e-012 
A 9= 1.05404e-014  A11=-2.16883e-018  
第10面
K  = 1.61926e+000  A 4= 7.96782e-007  A 6=-3.85942e-010 
A 8=-3.18824e-013  A10= 1.01350e-015  A12=-2.49582e-019  
A 3= 7.49980e-007  A 5= 2.00124e-008  A 7=-7.82206e-012 
A 9=-1.07535e-014  A11=-3.95810e-018  
第13面
K  =-6.65231e+000  A 4= 5.35180e-007  A 6= 1.80713e-010 
A 8= 3.58825e-013  A10=-3.03554e-016  A12= 3.02485e-019  
A 3=-5.73996e-007  A 5=-7.41271e-009  A 7= 1.03417e-011 
A 9=-6.97674e-015  A11=-5.40354e-018  
各種データ
ズーム比     14.00 
広角     中間     望遠
焦点距離       4.50    16.84    63.00  
Fナンバー      1.90     1.90     2.80  
半画角        50.71    18.09     4.99  
像高           5.50     5.50     5.50  
レンズ全長   312.26   312.26   312.26  
BF             7.91     7.91     7.91  
d20            0.46    31.37    44.52  
d29           41.78     7.72     8.37  
d32           11.70    14.85     1.05  
d53            7.91     7.91     7.91  
入射瞳位置    31.69    52.82   103.91  
射出瞳位置   450.87   450.87   450.87  
前側主点位置  36.24    70.30   175.87  
後側主点位置   3.41    -8.93   -55.09  
ズームレンズ群データ
群  始面    焦点距離  レンズ構成長  前側主点位置  後側主点位置
1    1      27.10       101.26        43.78         36.87
2   21     -17.40        17.26         0.85        -13.62
3   30     -46.00         2.99        -0.37         -2.05
4   33      58.07       128.91        64.67       -118.39
【００３６】
【表１】
2011039398.tif 000004
【００３７】
図１３は各実施例のズームレンズを撮影光学系として用いた撮像装置（テレビカメラシステム）の要部概略図である。図１３において１０１は実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群Ｆ、変倍部（変倍レンズ群）ＬＺ、結像用の第４レンズ群Ｒを有している。レンズ群Ｆは合焦用レンズ群が含まれている。変倍部ＬＺは変倍の為に光軸上を移動する第２レンズ群Ｖと、変倍に伴う像面変動を補正する為に光軸上を移動する第３レンズ群Ｃが含まれている。
【００３８】
ＳＰは開口絞りである。第４レンズ群Ｒは前群４Ｆと後群４Ｂと光路中より挿抜可能なレンズユニットＩＥを有している。レンズユニットＩＥはズームレンズ１０１の全系の焦点距離範囲を変移している。１１４、１１５は、各々レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍部ＬＺの光軸上の位置や、開口絞りＳＰの絞り径を検出する為のエンコーダやポテンショメータ、あるいはフォトセンサ等の検出器である。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【符号の説明】
【００３９】
Ｆ    第１群、Ｖ    第２群、Ｃ    第３群、Ｒ    第４群、Ｆ１ａ    前方部分系、Ｆ１ｂ    移動部分系、Ｆ１ｃ    後方部分系、ＳＰ    開口絞り、ＩＰ    像面、Ｐ    ガラスブロック（プリズム）、ｅ    ｅ線、ｇ    ｇ線、Ｃ    Ｃ線、Ｓ    サジタル像面、Ｍ    メリディオナル像面
【図１】
2011039398.tif 000005
【図２】
2011039398.tif 000006
【図３】
2011039398.tif 000007
【図４】
2011039398.tif 000008
【図５】
2011039398.tif 000009
【図６】
2011039398.tif 000010
【図７】
2011039398.tif 000011
【図８】
2011039398.tif 000012
【図９】
2011039398.tif 000013
【図１０】
2011039398.tif 000014
【図１１】
2011039398.tif 000015
【図１２】
2011039398.tif 000016
【図１３】
2011039398.tif 000017